(57)【特許請求の範囲】
【請求項１】
記憶部に記録された映像及び音声の少なくとも一方を含む第１情報を複数の端末に対し放送すべくページングを実行するサーバ装置において、
前記記憶部を使用するページングについて、放送が終了していない第１情報のページング要求元となる端末、前記記憶部への記録状況を示す第２情報を蓄積する蓄積部と、
前記記憶部を使用するページング要求の発生時に、当該ページング要求が前記記憶部に既に記録されている第１情報をページングするか否かを判定する判定手段と、
前記判定手段により前記記憶部に既に記録されている第１情報をページングすると判定された場合に、前記蓄積部に蓄積された第２情報の蓄積情報量を検出し、前記判定手段により前記記憶部に未記録の第１情報をページングすると判定された場合に、前記記憶部に第１情報を記録可能であるときに前記蓄積部に既に蓄積されている第２情報の蓄積情報量を検出する検出手段と、
前記判定手段により前記記憶部に既に記録されている第１情報をページングすると判定された場合に、前記検出手段により検出される蓄積情報量をページング要求元の端末に通知し、前記判定手段により前記記憶部に未記録の第１情報をページングすると判定された場合に、前記検出手段により検出される蓄積情報量をページング要求元の端末に対し前記第１情報の前記記憶部への蓄積開始時に通知する通知手段と、
前記検出手段により検出される蓄積情報量が予め決められたしきい値を超える場合に、その旨を前記ページング要求元の端末に通知し、この通知に対し前記ページング要求元の端末にてページング指示が入力された場合に、前記記憶部に前記第１情報を記録する制御手段とを具備し、
前記制御手段は、
前記検出手段により検出される蓄積情報量が予め決められた第１のしきい値を超える場合に、その旨を前記ページング要求元の端末に通知し、この通知に対し前記ページング要求元の端末にてページング指示が入力された場合に、前記記憶部に前記第１情報を記録する第１のモードと、
前記検出手段により検出される蓄積情報量が前記第１のしきい値より大きい第２のしきい値を超えた場合に、自動的にページングの実行を停止する第２のモードとを備えたことを特徴とするサーバ装置。
【請求項２】
前記蓄積情報量は、前記記憶部に記録された第１情報の蓄積件数であることを特徴とする請求項１記載のサーバ装置。
【請求項３】
前記蓄積情報量は、前記記憶部に記録された第１情報の放送時間の合計値であることを特徴とする請求項１記載のサーバ装置。
【請求項４】
通信ネットワークに接続される複数の端末と、
前記通信ネットワークに接続され、記憶部に記録された映像及び音声少なくとも一方を含む第１情報を複数の端末に対し放送すべくページングを実行するサーバ装置とを具備し、
前記サーバ装置は、
前記記憶部を使用するページングについて、放送が終了していない第１情報のページング要求元となる端末、前記記憶部への記録状況を示す第２情報を蓄積する蓄積部と、
前記記憶部を使用するページング要求の発生時に、当該ページング要求が前記記憶部に既に記録されている第１情報をページングするか否かを判定する判定手段と、
前記判定手段により前記記憶部に既に記録されている第１情報をページングすると判定された場合に、前記蓄積部に蓄積された第２情報の蓄積情報量を検出し、前記判定手段により前記記憶部に未記録の第１情報をページングすると判定された場合に、前記記憶部に第１情報を記録可能であるときに前記蓄積部に既に蓄積されている第２情報の蓄積情報量を検出する検出手段と、
前記判定手段により前記記憶部に既に記録されている第１情報をページングすると判定された場合に、前記検出手段により検出される蓄積情報量をページング要求元の端末に通知し、前記判定手段により前記記憶部に未記録の第１情報をページングすると判定された場合に、前記検出手段により検出される蓄積情報量をページング要求元の端末に対し前記第１情報の前記記憶部への蓄積開始時に通知する通知手段と、
前記検出手段により検出される蓄積情報量が予め決められたしきい値を超える場合に、その旨を前記ページング要求元の端末に通知し、この通知に対し前記ページング要求元の端末にてページング指示が入力された場合に、前記記憶部に前記第１情報を記録する制御手段とを具備し、
前記制御手段は、
前記検出手段により検出される蓄積情報量が予め決められた第１のしきい値を超える場合に、その旨を前記ページング要求元の端末に通知し、この通知に対し前記ページング要求元の端末にてページング指示が入力された場合に、前記記憶部に前記第１情報を記録する第１のモードと、
前記検出手段により検出される蓄積情報量が前記第１のしきい値より大きい第２のしきい値を超えた場合に、自動的にページングの実行を停止する第２のモードとを備えたことを特徴とする通信システム。
【請求項５】
記憶部に記録された映像及び音声少なくとも一方を含む第１情報を複数の端末に対し放送すべくページングを実行するサーバ装置で使用されるページング実行方法において、
前記記憶部を使用するページングについて、放送が終了していない第１情報のページング要求元となる端末、前記記憶部への記録状況を示す第２情報を蓄積し、
前記記憶部を使用するページング要求の発生時に、当該ページング要求が前記記憶部に既に記録されている第１情報をページングするか否かを判定し、
前記記憶部に既に記録されている第１情報をページングすると判定された場合に、放送が終了していない第２情報の蓄積情報量を検出し、前記記憶部に未記録の第１情報をページングすると判定された場合に、前記記憶部に第１情報を記録可能であるときに放送が終了していない第２情報の蓄積情報量を検出し、
前記記憶部に既に記録されている第１情報をページングすると判定された場合に、前記蓄積情報量をページング要求元の端末に通知し、前記記憶部に未記録の第１情報をページングすると判定された場合に、前記蓄積情報量をページング要求元の端末に対し前記第１情報の前記記憶部への蓄積開始時に通知し、
さらに、前記検出される蓄積情報量が予め決められたしきい値を超える場合に、その旨を前記ページング要求元の端末に通知し、この通知に対し前記ページング要求元の端末にてページング指示が入力された場合に、前記記憶部に前記第１情報を記録するように制御し、
前記制御することは、
前記検出される蓄積情報量が予め決められた第１のしきい値を超える場合に、その旨を前記ページング要求元の端末に通知し、この通知に対し前記ページング要求元の端末にてページング指示が入力された場合に、前記記憶部に前記第１情報を記録する第１のモードと、
前記検出される蓄積情報量が前記第１のしきい値より大きい第２のしきい値を超えた場合に、自動的にページングの実行を停止する第２のモードとを備えたことを特徴とするページング実行方法。
【発明の詳細な説明】
【技術分野】
【０００１】
この発明は、例えば複数の電話端末に対し映像及び音声の少なくとも一方を含む情報を放送すべくページングを実行するサーバ装置、通信システム及びページング実行方法に関する。
【背景技術】
【０００２】
電話システムには、ページング機能がある。このページング機能とは、ある電話端末からの音声信号を複数の電話端末またはスピーカなどの装置に同時に放送する機能である。
【０００３】
なお、この種の技術に類似するものとして、発信者よりのページャ呼び出しにより、交換機は着信者のページャ端末へ着信可能か否かを問い合わせ、送信不可であれば発信者へその旨を通知するシステムが提案されている（例えば、特許文献１）。
【特許文献１】特開平１１−６９４０２公報。
【発明の開示】
【発明が解決しようとする課題】
【０００４】
ところで、ページング機能の中には、被ページングデバイスに流す音声や映像を、一旦、蓄積した後、蓄積した音声や映像を放送するシステムがある。また、予め録音/録画された音声や映像をページングするシステムがある。
【０００５】
これらのシステムの中には、多くの発信者がほぼ同時にページングの発信操作を行なうことができるシステムがある。このようなシステムでは、発信操作終了時、既に他の発信者からの音声や映像を放送中の可能性があるため、発信操作終了後すぐに音声や映像が放送されない場合がある。
【０００６】
そこで、この発明の目的は、ページング要求元のユーザにて、ページングの混雑状況を把握することを可能とし、これによりユーザの利便性を高めたサーバ装置、通信システム及びページング実行方法を提供することにある。
【課題を解決するための手段】
【０００７】
この発明に係るサーバ装置は、記憶部に記録された映像及び音声少なくとも一方を含む情報を複数の端末に対し放送すべくページングを実行するサーバ装置において、記憶部を使用するページングについて、放送が終了していないページングすべく情報を蓄積する蓄積部と、記憶部を使用するページング要求の発生時に、当該ページング要求が記憶部に既に記録されている情報をページングするか否かを判定する判定手段と、この判定手段により記憶部に既に記録されている情報をページングすると判定された場合に、蓄積部に蓄積されたページングの蓄積情報量を検出し、記憶部に未記録の情報をページングすると判定された場合に、記憶部に情報を記録可能であるときに蓄積部に蓄積されたページングの蓄積情報量を検出する検出手段と、判定手段により記憶部に既に記録されている情報をページングすると判定された場合に、検出手段により検出される蓄積情報量をページング要求元の端末に通知し、判定手段により記憶部に未記録の情報をページングすると判定された場合に、検出手段により検出される蓄積情報量をページング要求元の端末に対し情報の前記記憶部への蓄積開始時に通知する通知手段とを備えるようにしたものである。
【０００８】
この構成によれば、記憶部を使用するページング要求が発生した場合に、蓄積部に蓄積されたページングの蓄積情報量を検出できるようにし、この検出された蓄積情報量を、記憶部に既に記録されている情報をページングする場合にはそのままページング要求元の端末に通知するようにし、記憶部に未記録の情報をページングする場合には、情報の記憶部への蓄積開始時にページング要求元の端末に通知するようにしている。
【０００９】
従って、ページング発信を行うユーザが、ページングの混雑状況を簡単に知ることができる。その際、システムは自動的にページングを中止しないので、発信者の操作によってページングを中止するか否かを選択することができる。
【００１０】
また、この発明のサーバ装置は、検出手段により検出される蓄積情報量が予め決められたしきい値を超える場合に、その旨をページング要求元の端末に通知し、この通知に対し前記ページング要求元の端末にてページング指示が入力された場合に、蓄積部にページングすべく情報を記録する制御手段をさらに備えたことを特徴とする。
【００１１】
この構成によれば、検出手段により検出される蓄積情報量が予め決められたしきい値を超えることが検出されるごとにページング要求元の端末ユーザが自身でページングを実行するか否かを判断して指示することができ、これにより真に必要とする場合にのみページングを実行することが可能となる。
【００１２】
また、この発明のサーバ装置に備える制御手段は、検出手段により検出される蓄積情報量が予め決められた第１のしきい値を超える場合に、その旨を前記ページング要求元の端末に通知し、この通知に対しページング要求元の端末にてページング指示が入力された場合に、蓄積部にページングすべく情報を記録する第１のモードと、検出手段により検出される蓄積情報量が第１のしきい値より大きい第２のしきい値を超えた場合に、自動的にページングの実行を停止する第２のモードとを備えたことを特徴とする。
【００１３】
この構成によれば、しきい値ごとにモードを設定しておくことで、蓄積情報量が第１のしきい値を超えた場合についてはページング要求元の端末ユーザが自身でページングが必要と判断した場合にのみページングを実行し、蓄積情報量が第２のしきい値を超えた場合については自動的にページングの実行を停止するというように、しきい値ごとに最適なページングを実行することができる。
【発明の効果】
【００１４】
以上詳述したようにこの発明によれば、ページング要求元のユーザにて、ページングの混雑状況を把握することを可能とし、これによりユーザの利便性を高めたサーバ装置、通信システム及びページング実行方法を提供することができる。
【発明を実施するための最良の形態】
【００１５】
以下、この発明の実施形態について図面を参照して詳細に説明する。  
（第１の実施形態）  
図１は、この発明の第１の実施形態に係わる電話システムを示す概略構成図である。
【００１６】
このシステムは、ＩＰ（Internet Protocol）ネットワークＩＮＷを有する。ＩＰネットワークＩＮＷには、呼制御サーバ１、メディアサーバ２、複数のＩＰ電話機３−１〜３−ｍ（ｍは自然数）、外部ページング装置４−１〜４−ｉ（ｉは自然数）が接続されている。なお、ＩＰ電話機３−１〜３−ｍには、通話処理機能とメディア情報処理機能とを備えている。
【００１７】
また、ＩＰネットワークＩＮＷには、ゲートウェイ６が接続されている。このゲートウェイ６は、ＩＰネットワークＩＮＷとＴＤＭネットワークＴＮＷとの間を接続するもので、ＩＰネットワークＩＮＷとＴＤＭネットワークＴＮＷとの間における通信プロトコル及び信号フォーマットの変換機能を備えている。
【００１８】
上記呼制御サーバ１は、複数のＩＰ電話機３−１〜３−ｍと、外部ページング装置４−１〜４−ｉとの間の交換制御機能を備えると共に、メディアサーバ２に記録された映像及び音声の少なくとも一方を含む情報を該当するグループの複数のＩＰ電話機３−１〜３−ｍ、外部ページング装置４−１〜４−ｉに対し放送すべくページングを実行する機能とを備えている。
【００１９】
また、上記呼制御サーバ１は、この発明に係わる機能として次のような機能を有している。図２はその構成を示すブロック図である。
【００２０】
すなわち、呼制御サーバ１は、データベース１１と、受信ダイヤル分析部１２と、被ページングデバイス監視部１３と、ページング蓄積部１４と、ページング送出部１５と、ページング状況通知部１６とを備えている。
【００２１】
データベース１１には、テーブル１１１〜１１３とが設けられている。テーブル１１１は、図３に示すようなページンググループ番号と被ページングデバイスの対応テーブルである。
【００２２】
テーブル１１２は、図４に示すようなデバイス空塞状態管理テーブルである。  
テーブル１１３は、図５に示すようなページング蓄積状況管理テーブルである。
【００２３】
受信ダイヤル分析部１２は、例えばＩＰ電話機３−１から受信したダイヤル列により、ページンググループ１へのページング発信であると判別する。この場合、ダイヤル列がページング発信特番とページンググループの番号の組み合わせであれば、これからメディアサーバ２に録音する音声をページング発信するものと判別し、ダイヤル列がページング発信特番とページンググループの番号と音声ファイル番号との組み合わせであれば、既にメディアサーバ２に録音されている音声をページング発信するものと判別するものとする。
【００２４】
被ページングデバイス監視部１３は、テーブル１１１，１１２を参照して、ページンググループ１の被ページングデバイスに空きがあるか否かを調べる。ページンググループ１の被ページングデバイスに空きがない場合、ページング蓄積部１４は、メディアサーバ２の蓄積用リソースを捕捉する。蓄積用リソースが捕捉できない場合は、ＩＰ電話機３−１へ切断の旨のメッセージを送信し、ＩＰ電話機３−１のユーザＡに、ページングが実行できない旨を通知する。蓄積用リソースが捕捉できた場合、ＩＰ電話機３−１へ応答信号を送信する。
【００２５】
その際、ページング状況通知部１６は、蓄積件数検出部１６１によりテーブル１１３を参照してページンググループ１に放送するページングの蓄積件数を検出し、この蓄積件数をＩＰ電話機３−１へ送信する。尚、本実施形態においては、ページングを放送する順番は、ページングを蓄積した順番と同じである。
【００２６】
また、ページング蓄積部１４は、テーブル１１３を更新（ページンググループ１の蓄積件数を＋１し、蓄積用リソースの管理番号とページング発信端末情報、状況（蓄積中）を登録）し、音声の蓄積を開始する。
【００２７】
ページング送出部１５は、テーブル１１３を参照して、蓄積されたページングを、順番に放送する。
【００２８】
次に、以上のように構成されたシステムの動作について説明する。  
図６は、上記呼制御サーバ１のページング音声蓄積時の制御処理手順を示すフローチャートである。
【００２９】
今、例えばＩＰ電話機３−１のユーザＡがページンググループ１への音声ページング操作を開始したとする。この場合、ユーザＡは、ＩＰ電話機３−１において、ページング発信特番とページンググループの番号（＝１）をダイヤルして、Startキーを押す。そうすると、ＩＰ電話機３−１は、ダイヤル列を、呼制御サーバ１へ送信する。
【００３０】
呼制御サーバ１は、ＩＰ電話機３−１から受信したダイヤル列により、ステップＳＴ６ａからステップＳＴ６ｂに移行してここでページンググループ１へのページング発信で、これからメディアサーバ２に録音する音声をページング発信すると判別する。
【００３１】
呼制御サーバ１は、テーブル１１１，１１２を参照して、ページンググループ１の被ページングデバイスに空きがあるか調べ、ページンググループ１の被ページングデバイスに空きがない場合、メディアサーバ２の蓄積用リソースが使用可能か否かの判断を行う（ステップＳＴ６ｃ）。なお、予めある放送時間にページングを行うように予約設定する場合にも、呼制御サーバ１はメディアサーバ２の蓄積用リソースが使用可能か否かの判断を行う。
【００３２】
ここで、蓄積用リソースが捕捉できない場合（Ｎｏ）、呼制御サーバ１はＩＰ電話機３−１へ切断の旨のメッセージを送信し、ユーザＡに、ページングが実行できないことを通知する（ステップＳＴ６ｄ）。
【００３３】
一方、蓄積用リソースが捕捉できた場合（Ｙｅｓ）、呼制御サーバ１はＩＰ電話機３−１へ応答信号を送信する。その際、テーブル１１３を参照し（ステップＳＴ６ｅ）、蓄積件数をＩＰ電話機３−１へ送信してＬＣＤ表示させる（ステップＳＴ６ｆ）。
【００３４】
また、呼制御サーバ１は、テーブル１１３を更新（ページンググループ１の蓄積件数を＋１し、蓄積用リソースの管理番号とページング発信端末情報、状況（蓄積中）を登録）し（ステップＳＴ６ｇ）、音声の蓄積を開始する（ステップＳＴ６ｈ）。
【００３５】
なお、ＩＰ電話機３−１は、呼制御サーバ１から受信した応答信号に含まれる蓄積件数を、音声の蓄積を開始したことの表示と一緒に、電話機のＬＣＤに表示する。ここで、ユーザＡがページング発信操作を継続したい場合は、音声を蓄積後、蓄積完了操作（ＩＰ電話機３−１の「＃」ボタンを押す）を行う。ユーザＡが蓄積完了操作を行わずにＩＰ電話機３−１をオンフックした場合、ページング発信の中止処理を行う。
【００３６】
以上のように第１の実施形態では、呼制御サーバ１において、ページング発生ごとにテーブル１１３に蓄積件数を更新するようにし、メディアサーバ２を使用するページング要求が発生しかつメディアサーバ２の蓄積用リソースを捕捉可能であるときに、データベース１１のテーブル１１３を参照してページンググループ１の蓄積件数を読み出すようにし、この読み出した蓄積件数をページング要求元のＩＰ電話機３−１に対しメディアサーバ２への蓄積開始時に通知するようにしている。
【００３７】
従って、ページング発信を行うユーザが、ページングの混雑状況を簡単に知ることができる。その際、システムは自動的にページングを中止しないので、発信者の操作によってページングを中止するか否かを選択することができる。
【００３８】
（第２の実施形態）
この発明の第２の実施形態は、予めメディアサーバ２に録音された音声をページングするシステムにおいて、ページングの発信者に対して蓄積件数を通知するものである。
【００３９】
予め録音された音声ファイルはメディアサーバ２に保存されており、番号が付与されている。ページング発信時、発信者はページング発信特番とページンググループの番号（＝１）、音声ファイル番号をダイヤルする。
【００４０】
ページング蓄積部１４は、テーブル１１３を更新するが、メディアサーバ２の蓄積用リソースの捕捉は行わない。
【００４１】
ＩＰ電話機３−１は、呼制御サーバ１から受信した応答信号に含まれる蓄積件数を、ページング受付完了の表示と一緒に、電話機のＬＣＤに表示する。
【００４２】
このように上記第２の実施形態では、既にメディアサーバ２に録音済みの音声をページング発信する場合に、ページンググループ１の蓄積件数を読み出すようにし、この読み出した蓄積件数をページング要求元のＩＰ電話機３−１に通知するようにしている。
【００４３】
従って、ページング発信を行うユーザは、ページングの混雑状況を簡単に知ることができ、メディアサーバ２に録音済みの音声のページングを中止するか否かを選択することができる。
【００４４】
（第３の実施形態）  
この発明の第３の実施形態は、予めメディアサーバ２に録音された音声をページングするシステムにおいて、蓄積件数が予め定められた閾値を超えた場合、ページングを行うか否かを、発信者に対して確認を行うものである。
【００４５】
蓄積件数の閾値は、予めデータベース１１に保存されている（ページング発信端末毎に閾値を設定するテーブルとする。）。
【００４６】
呼制御サーバ１は、ＩＰ電話機３−１へ応答信号を送信する際、蓄積件数と共に、ページング実施確認を行うか否かの情報を通知する（蓄積件数が閾値を超えている場合は、ページング実施確認有りと通知する。）。
【００４７】
ＩＰ電話機３−１は、ページング実施確認有りが通知された場合、蓄積件数を電話機のＬＣＤに表示すると共に、ページングを行うか否かの選択画面を表示する。発信者の選択結果を、ＩＰ電話機３−１は、呼制御サーバ１へ通知する。
【００４８】
呼制御サーバ１は、発信者の選択結果に従い、ページング受付もしくはキャンセルの処理を行い、ＩＰ電話機３−１へ、ページング受付もしくはキャンセル完了通知信号を送信する。
【００４９】
ＩＰ電話機３−１は、ページング受付もしくはキャンセル完了を表示する。
【００５０】
（第４の実施形態）  
図７は、この発明の第４の実施形態として、呼制御サーバ１のページング音声蓄積時の制御処理手順を示すフローチャートである。
【００５１】
今、例えばＩＰ電話機３−１のユーザＡがページンググループ１への音声ページング操作を開始したとする。この場合、ユーザＡは、ＩＰ電話機３−１において、ページング発信特番とページンググループの番号（＝１）をダイヤルして、Startキーを押す。そうすると、ＩＰ電話機３−１は、ダイヤル列を、呼制御サーバ１へ送信する。
【００５２】
呼制御サーバ１は、ＩＰ電話機３−１から受信したダイヤル列により、ステップＳＴ７ａからステップＳＴ７ｂに移行してここでページンググループ１へのページング発信で、これからメディアサーバ２に録音する音声をページング発信すると判別する。
【００５３】
呼制御サーバ１は、テーブル１１１，１１２を参照して、ページンググループ１の被ページングデバイスに空きがあるか調べ、ページンググループ１の被ページングデバイスに空きがない場合、メディアサーバ２の蓄積用リソースが使用可能か否かの判断を行う（ステップＳＴ７ｃ）。
【００５４】
ここで、蓄積用リソースが捕捉できない場合（Ｎｏ）、呼制御サーバ１はＩＰ電話機３−１へ切断の旨のメッセージを送信し、ユーザＡに、ページングが実行できないことを通知する（ステップＳＴ７ｄ）。
【００５５】
一方、蓄積用リソースが捕捉できた場合（Ｙｅｓ）、呼制御サーバ１はＩＰ電話機３−１へ応答信号を送信する。その際、テーブル１１３を参照し（ステップＳＴ７ｅ）、この参照結果をもとに蓄積件数が予め設定されたしきい値以上か否かを判定する（ステップＳＴ７ｅ−１）。ここで、しきい値を超えた場合に（Ｙｅｓ）、呼制御サーバ１は「ページング実施確認有り」のメッセージをＩＰ電話機３−１へ送信してＬＣＤ表示させる（ステップＳＴ７ｆ）。従って、この表示によりユーザＡはページンググループ１の蓄積件数がしきい値を超えた旨をリアルタイムに知ることができる。
【００５６】
この状態でユーザＡが、ページングを実行するべくＩＰ電話機３−１においてページング実行指示を入力したとする。そうすると呼制御サーバ１は、ステップＳＴ７ｇからステップＳＴ７ｈに移行してここでテーブル１１３を更新（ページンググループ１の蓄積件数を＋１し、蓄積用リソースの管理番号とページング発信端末情報、状況（蓄積中）を登録）し、音声の蓄積を開始する（ステップＳＴ７ｉ）。
【００５７】
なお、上記ステップＳＴ７ｇにおいて、ユーザＡが一定時間経過してページング実行指示を入力しなかった場合には、処理を終了する。また、上記ステップＳＴ７ｅ−１において、蓄積件数がしきい値未満と判定された場合に（Ｎｏ）、蓄積件数をＩＰ電話機３−１へ送信してＬＣＤ表示させる（ステップＳＴ７ｅ−２）。
【００５８】
以上のように上記第４の実施形態では、蓄積件数がしきい値を超えた場合に、ページング要求元のＩＰ電話機３−１のＬＣＤに「ページング実施確認有り」のメッセージを表示し、ユーザの指示を待ってメディアサーバ２に蓄積された音声のページングを行うようにしている。このため、ＩＰ電話機３−１のユーザは、蓄積件数を見てページングを実行する必要がない場合にはページングを実行せずに済む。
【００５９】
（その他の実施形態）  
この発明は、上記各実施形態に限定されるものではない。例えば、上記第４の実施形態では、蓄積件数がしきい値を超えた場合に「ページング実施確認有り」のメッセージを一旦ユーザに通知し、ユーザがページング実行指示を入力した場合にページングを実行するようにした。
【００６０】
しかし、これに限ることなく、蓄積件数があるしきい値を超えた時点で、ページングをキャンセルするように構成してもよい。
【００６１】
また、蓄積件数がしきい値を超えた場合に上記ユーザによるページング実行指示の入力を待ってページングを実行するモードと、蓄積件数があるしきい値を超えた時点で自動的にページングをキャンセルするモードとを両方備え、ユーザの選択指示に従いこれらモードを選択的に動作させるようにしてもよい。このようにすれば、例えばしきい値ごとにモードを設定しておくことで、蓄積件数が例えば５件を超えた場合についてはページング要求元のユーザが自身でページングが必要と判断した場合にのみページングを実行し、蓄積件数が例えば１０件を超えた場合については自動的にページングの実行を停止するというように、しきい値ごとに最適なページングを実行することができる。
【００６２】
また、上記各実施形態では、呼制御サーバとメディアサーバとで処理を分担する例について説明したが、呼制御サーバのみで実行するようにしてもよい。さらに、上記各実施形態では、ページングが要求されるごとに蓄積件数をインクリメントする例について説明したが、例えば呼制御サーバ１台で実行する場合、音声を記録するメモリから蓄積件数を直接に検出するようにしてもよい。また、音声と共に映像もページングするようにしてもよい。
【００６３】
また、上記各実施形態では、放送が終了していないページングの映像または音声の蓄積件数を検出して、ページング要求元に通知する例について説明したが、これに限ることなく、映像及び音声の少なくとも一方の放送時間の合計値であってもよい。
【００６４】
さらに、上記各実施形態では、ページングを蓄積した順番で放送する例について説明したが、これに限ることなく、ページング要求に優先度の高低を付与して、優先度の高いページング要求の場合には優先度の高いページングのみの蓄積件数をページング要求元に通知してもよい。
【００６５】
その他、システム構成、呼制御サーバの機能構成、ページングすべく映像または音声の蓄積件数の通知方法、ページング実行方法等についてもこの発明の要旨を逸脱しない範囲で種々変形して実施できる。
【図面の簡単な説明】
【００６６】
【図１】この発明の第１の実施形態に係わる電話システムを示す概略構成図。
【図２】上記図１に示した呼制御サーバの機能構成を示すブロック図。
【図３】上記図２に示したページンググループ番号と被ページングデバイスの対応テーブルを示す図。
【図４】上記図２に示したデバイス空塞状態管理テーブルを示す図。
【図５】上記図２に示したページング蓄積状況管理テーブルを示す図。
【図６】同第１の実施形態における呼制御サーバのページング音声蓄積時の制御処理手順を示すフローチャート。
【図７】この発明の第４の実施形態として、呼制御サーバのページング音声蓄積時の制御処理手順を示すフローチャート。
【符号の説明】
【００６７】
１…呼制御サーバ、２…メディアサーバ、３−１〜３−ｍ…ＩＰ電話機、４−１〜４−ｉ…外部ページング装置、６…ゲートウェイ、１１…データベース、１２…受信ダイヤル分析部、１３…被ページングデバイス監視部、１４…ページング蓄積部、１５…ページング送出部、１６…ページング状況通知部、１６１…蓄積件数検出部、ＩＮＷ…ＩＰネットワーク、ＴＮＷ…ＴＤＭネットワーク。
【図１】
0004388124.tif 000002
【図２】
0004388124.tif 000003
【図３】
0004388124.tif 000004
【図４】
0004388124.tif 000005
【図５】
0004388124.tif 000006
【図６】
0004388124.tif 000007
【図７】
0004388124.tif 000008